(57)【要約】【課題】壁面にコ字状の針を簡単に打ち込むことができる針打機を得ることを目的とした。【解決手段】コ字状の針２０を収容する収容体２と、収容体２に収容したコ字状の針２０を前進させる駒部材３と、収容体２の底面２ａ略面一になるよう該収容体２の両側部２ｂより延設した一対の平面状の支持部４と、収容体２に重なりコ字状の針２０を該収容体２に設けた打出孔２ｃより打ち出す押圧片５を設けた押圧体６とを有した針打機１とする。【選択図】図１
2016093862.tif 000002
【特許請求の範囲】
【請求項１】
コ字状の針を収容する収容体と、前記収容体に収容したコ字状の針を前進させる駒部材と、前記収容体の底面と略面一になるよう該収容体の両側部より延設した一対の平面状の支持部と、前記収容体に重なり前記コ字状の針を該収容体に設けた打出孔より打ち出す押圧片を設けた押圧体とを有した針打機。
【請求項２】
前記一対の支持部の前方に、該支持部の底面の反対側へ向かって傾斜させた舌片を形成した請求項１に記載の針打機。
【請求項３】
前記舌片を先窄み状に形成した請求項２に記載の針打機。
【請求項４】
前記舌片の先端部にスリットを形成した請求項３に記載の針打機。
【発明の詳細な説明】
【技術分野】
【０００１】
本発明は、壁面にコの字状の針を打ち込む針打機に関する。
【背景技術】
【０００２】
一般的に住宅の内壁は石膏ボードや合板で構成されており、その壁面に対してポスターあるいはチラシ等を貼り付ける場合には、画鋲や粘着テープが用いられることが多い。しかしながら、画鋲では、ポスター等を剥がした際に残る孔が大きく、粘着テープでは、粘着テープの糊残りが問題視されている。
【０００３】
そこで特許文献１に記載されているような、複数の紙を綴じるために使用するホチキスやステープラーと呼ばれる綴じ具が利用される場合がある。前記綴じ具の中には、図１０に示す綴じ具１００のように、コ字状の針を打ち出す押圧体１０６に対して針を内向きに折り曲げる台１０１が回動して、図１１に示すように直線上になるものがあり、壁面に押し付けたポスターに対し、押圧体１０６側にある打出孔１０２ｃからコ字状の針を打ち出すことで、壁面にポスターを貼り付けることができるものがある。このような綴じ具を用いた場合には、コ字状の針の脚部が画鋲に比べて細いことから、壁面やポスターに残る孔が小さくなり、また糊残りの心配もないという利点がある一方で、垂直な壁面にポスターを押し付けた状態で、針の打出孔の位置を決めながら針を打つという作業が不安定になって、やり辛いという問題があった。
【先行技術文献】
【特許文献】
【０００４】
【特許文献１】特開２００５−１４４６４８号公報
【発明の概要】
【発明が解決しようとする課題】
【０００５】
本発明では、壁面にコ字状の針を簡単に打ち込むことができる針打機を得ることを目的とした。
【課題を解決するための手段】
【０００６】
本発明は、
「１．コ字状の針を収容する収容体と、前記収容体に収容したコ字状の針を前進させる駒部材と、前記収容体の底面と略面一になるよう該収容体の両側部より延設した一対の平面状の支持部と、前記収容体に重なり前記コ字状の針を該収容体に設けた打出孔より打ち出す押圧片を設けた押圧体とを有した針打機。
２．前記一対の支持部の前方に、該支持部の底面の反対側へ向かって傾斜させた舌片を形成した前記１項に記載の針打機。
３．前記舌片を先窄み状に形成した前記２項に記載の針打機。
４．前記舌片の先端部にスリットを形成した前記３項に記載の針打機。」である。
【０００７】
本発明の針打機に用いるコ字状の針に限定ないが、ホチキスやステープラーと呼ばれる綴じ具で身近に使用されている１０号（ＪＩＳ規格）が使用できるようにすることで、替針の入手が容易となり、また針が細い線材で形成されていることから、ポスターや壁面に残る孔を小さくすることができる。
収容体は、コ字状の針の大きさに基づき設定し、押圧体は収容体の大きさに合わせて設定すればよい。
支持部は、収容体の底面と面一にして段差を無くすことで、壁面やポスターの表面上での摺動性および安定性が高くなる。
また、支持部の前後方向の長さを収容体の前後方向の長さと同等にし、その巾を押圧体を押圧する指以外の指で支持部に接して針打機を壁面に当接できる巾に設定することで操作性がよくなる。収容体および支持部の長さ寸法と支持部の巾寸法を小さくすれば軽量化が図れると共に、垂直な壁面における取り回しがよくなる。
駒部材は、収容体内にコイルスプリングを配し、その弾発力で並列に複数連結された針を収容体の前方に形成した打出孔へ向かって前進させる構造とすることが好ましい。
【０００８】
一対の支持部の前方に設ける舌片は、上方へ向かって１５度から４５度の範囲で傾斜させることが好ましく、舌片の底面を壁面に対して面接触させた状態にしてコ字状の針を打ち込んだ場合には、コ字状の針の脚部が壁面に傾斜した状態で刺さり、針が壁面から抜け難い状態とすることが可能となる。また、支持部の前方の舌片が傾斜させることで、壁面に存在する段差や壁面からポスター面に乗り上げるときの段差を、針打機が、滑らかに乗り越えることができるようになる。
さらに舌片を前方へ向かって細くなる先窄み状に形成することにより、壁面から露出したコ字状の針の本体部の下に舌片を差し込んで、壁面からコ字状の針の脚部を引き抜くことができるものとなる。
さらに舌片の先端部に前後方向へ延びるスリットを形成することにより、画鋲の脚部をスリットで挟み込んで、壁面から脚部を引き抜くことができるものとなる。尚、前記スリットは一対の支持部の前方に形成された舌片の一方または両方に形成してもよい。
尚、収容体の底面や支持部の底面にゴムやエラストマー等のシート状の滑止部材を設けることで、針を打つ際に針打機がずれ難いものとなる。
【発明の効果】
【０００９】
本発明の針打機は、壁面にコ字状の針を簡単に打ち込むことができるものとなった。
【図面の簡単な説明】
【００１０】
【図１】本実施例の針打機の斜視図である。
【図２】図１の針打機を底面側から見た斜視図である。
【図３】図１の針打機の押圧体を開いた状態を示す斜視図である。
【図４】図１の針打機の使用状態を示す斜視図である。
【図５】図１の針打機にてポスターを壁面に貼り付ける状態を示す図である。
【図６】図１の針打機にてポスターを壁面に貼り付ける他の状態を示す図である。
【図７】図１の針打機にて壁面およびポスターの表面上を摺動させる状態を示す図である。
【図８】図１の針打機にてコ字状の針を引き抜く状態を示す斜視図である。
【図９】図１の針打機にて画鋲を引き抜く状態を示す斜視図である。
【図１０】従来の綴じ具を示す斜視図である。
【図１１】従来の綴じ具の台を開いた状態を示す斜視図である。
【発明を実施するための形態】
【００１１】
以下、図面を参照して本発明における針打機について説明を行う。尚、説明を分かり易くするために、針を収容させる収容体に設けた打出孔がある側を前方と表現し、その反対側を後方と表現する。
【００１２】
以下、図１から図３を用いて本実施例の針打機について説明を行う。図１は本実施例の針打機の斜視図である。図２は図１の針打機を底面側から見た斜視図である。図３は図１の針打機の押圧体を開いた状態を示す斜視図である。
針打機１は、コ字状の針２０を収容する収容体２と、収容体２に収容したコ字状の針２０を前進させる駒部材３と、収容体２の底面２ａと面一になるよう該収容体２の両側部２ｂより延設した一対の平面状の支持部４と、収容体２に重なりコ字状の針２０を該収容体２に設けた打出孔２ｃより打ち出す押圧片５を配した押圧体６とを有している。
また、図２に示すように、本実施例の針打機１は、収容体２の底面２ａと支持部４の底面４ａとは一体で平滑な面になっており、支持部４の前方には、上方へ向かって底面７０ａ，７０ｂが２０度で傾斜する先窄み状の舌片７ａ，７ｂを形成してある。尚、舌片７ｂの先端部には前後に延びるスリット７ｃを形成してある。
【００１３】
また、図３に示すように、押圧体６に配した押圧片５は、一体で固定片８を曲成しており、固定片８を押圧体６の内面に形成した係止段部６ａに係着させ、固定片８に形成した爪部８ａにコイルスプリング９の一端９ａを掛止させると共に、コイルスプリング９の他端９ｂを駒部材３に形成した爪部３ａに掛止させることで、コイルスプリング９の収縮力で駒部材３が前進するようにしてある。尚、駒部材３の両側面より突設させた突起部３ｂを収容体２の側壁２ｄに形成した前後に延びる溝部２ｅへ係止させることで、収容体２の内部で駒部材３が前後方向へ摺動するようにしてある。また、駒部材３の前方両側には突出壁３ｃを突設しており、突出壁３ｃで並列に複数連ねた針群２１を前進させ、針群２１の先頭にあるコ字状の針２０の本体部２０ａを押圧体６の押圧片５で押圧することにより、打出孔２ｃより打ち出せるようにしてある。
【００１４】
本実施例の針打機１は、押圧体６の後部６ｃと収容体２の後部２ｆとを連結した支軸１０を支点に、図３に示すように収容体２に対して押圧体６を回動させて開放し、収容体２に針群２１を収容させることができる。また、押圧体６を閉じる際には、押圧体６の内面に設けた凸部６ｂが収容体２の外面に設けた凸部２ｇを乗り越えて係止され、固定片８から延設した二つの弾性片８ｂが収容体２の両側壁２ｄを弾発することで、収容体２に収容したコ字状の針２０の本体部２０ａと押圧体６に設けた押圧片５の先端縁５ａとの間に一定の距離が得られるようにしてある。
【００１５】
次に、図４から図７を用いて本実施例の針打機で針を打つ際の説明を行う。図４は図１の針打機の使用状態を示す斜視図である。図５は図１の針打機にてポスターを壁面に貼り付ける状態を示す図である。図６は図１の針打機にてポスターを壁面に貼り付ける他の状態を示す図である。図７は図１の針打機にて壁面およびポスターの表面上を摺動させる状態を示す図である。図４に示すように、本実施例の針打機１では、三本の指で一対の支持部４および押圧体６を保持することができ、図５に示すように、ポスター３０の表面３０ａに対し平滑な収容体２の底面２ａおよび支持部４の底面４ａを当接させ、押圧体６を押圧することで、壁面４０にコ字状の針２０の脚部２０ｂを垂直に刺すことができた。
【００１６】
図６は図１の針打機にてポスターを壁面に貼り付ける他の状態を示す図である。図６に示すように、ポスター３０の表面３０ａに対し支持部４の前方に形成した先窄み状の舌片７ａ（７ｂ）の底面７０ａ（７０ｂ）を当接させ、押圧体６を壁面４０方向に向かって押圧することで、壁面４０にコ字状の針２０の脚部２０ｂを２０度傾斜させて刺すことができた。
【００１７】
図７は図１の針打機にて壁面およびポスター表面上を摺動させる状態を示す図である。図に示す通り、本実施例の針打機１は、支持部５の前方に、上方へ向かって底面７０ａ，７０ｂに２０度の傾斜角度Ｄ（図５参照）を付けた先窄み状の舌片７ａ，７ｂを形成してあることから、ポスター３０を壁面４０に貼り付ける際に、壁面４０の表面４０ａに対して平滑な収容体２の底面２ａおよび支持部４の底面４ａを当接させた状態で滑らせて、傾斜した先窄み状の舌片７ａ，７ｂにてポスター３０の縁３０ｂを滑らかに乗り越えることができた。
【００１８】
図８は図１の針打機にてコ字状の針を引き抜く状態を示す斜視図である。本実施例の支持部４の前方に形成した舌片７ａは、前方へ向かって細くなる先窄み状に形成してあることから、壁面４０から露出したコ字状の針２０の本体部２０ａの下に舌片７ａを差し込んで、壁面４０から脚部２０ｂを引き抜くことができた。
【００１９】
図９は図１の針打機にて画鋲を引き抜く状態を示す斜視図である。本実施例の支持部４の前方に形成した舌片７ｂは、その先端部に前後方向へ延びるスリット７ｃを形成に形成してあることから、壁面４０から露出した画鋲５０の本体部５０ａの下に舌片７ｂを差し込むと共に、画鋲５０の脚部５０ｂをスリット７ｃにて挟み込んで、壁面４０から脚部５０ｂを引き抜くことができた。
【符号の説明】
【００２０】
１…針打機、
２…収容体、２ａ…底面、２ｂ…側部、２ｃ…打出孔、
２ｄ…側壁、２ｅ…溝部、２ｆ…後部、２ｇ…凸部、
３…駒部材、３ａ…爪部、３ｂ…突起部、３ｃ…突出壁、
４…支持部、４ａ…底面、
５…押圧片、５ａ…先端縁、
６…押圧体、６ａ…係止段部、６ｂ…凸部、６ｃ…後部、
７ａ…先窄み状の舌片、７ｂ…先窄み状の舌片、７ｃ…スリット、
７０ａ…底面、７０ｂ…底面、
８…固定片、８ａ…爪部、８ｂ…弾性片、
９…コイルスプリング、９ａ…一端、９ｂ…他端、
１０…支軸、
２０…コ字状の針、２０ａ…本体部、２０ｂ…脚部、
２１…針群、
３０…ポスター、３０ａ…表面、３０ｂ…縁、
４０…壁面、４０ａ…表面、
５０…画鋲、５０ａ…本体部、５０ｂ…脚部。
【図１】
2016093862.tif 000003
【図２】
2016093862.tif 000004
【図３】
2016093862.tif 000005
【図４】
2016093862.tif 000006
【図５】
2016093862.tif 000007
【図６】
2016093862.tif 000008
【図７】
2016093862.tif 000009
【図８】
2016093862.tif 000010
【図９】
2016093862.tif 000011
【図１０】
2016093862.tif 000012
【図１１】
2016093862.tif 000013